(57)【特許請求の範囲】
【請求項１】
赤外線センサと、前記赤外線センサのセンサ出力を検出するとともに前記センサ出力に基づいて執務者の在席状態を判定する中央制御部と、を有する在席不在検知装置の制御方法であって、
前記中央制御部は、
所定の第１周期ごとに前記赤外線センサのセンサ出力をサンプリングし、
前記センサ出力があれば、在席時間Ｔｓに前記第１周期の長さを加算し、
前記在席時間Ｔｓが所定の在席判定閾値に達したら、執務者が在席していると判定し、
前記センサ出力をサンプリングしたときに前記センサ出力がなかった場合、不在検出カウンターのカウント値ｋをカウントアップし、
不在検出カウンターのカウント値が所定の不在回数閾値に達するまでは、前記センサ出力がなかった場合でも在席時間Ｔｓに前記第１周期の長さを加算し、
前記センサ出力をサンプリングしたときに前記センサ出力があれば、前記不在検出カウンターのカウント値をリセットし、
前記不在検出カウンターのカウント値ｋが所定の不在回数閾値に達した場合、さらに、所定の待機時間の間、前記センサ出力がない場合、前記中央制御部は、執務者は不在であると判定し、
前記不在検出カウンターのカウント値ｋが所定の不在回数閾値に達した場合、さらに、所定の待機時間の間に前記センサ出力があれば、前記在席時間Ｔｓと前記不在検出カウンターのカウント値ｋとをリセットする
ことを特徴とする在席不在検知装置の制御方法。
【請求項２】
請求項１に記載の在席不在検知装置の制御方法において、
前記中央制御部は、
執務者が在席していると判定した後、前記第１周期よりも長い第２周期ごとにセンサ出力をサンプリングし、
前記中央制御部は、前記第２周期ごとに前記センサ出力をサンプリングしたときに前記センサ出力がなかった場合、不在検出カウンターのカウント値ｋをカウントアップし、
不在検出カウンターのカウント値が所定の不在回数閾値に達した場合、さらに、所定の待機時間の間、前記センサ出力がない場合の２段階で不在を判定し、
前記中央制御部は、執務者は不在であると判定する
ことを特徴とする在席不在検知装置の制御方法。
【請求項３】
請求項１または請求項２に記載の在席不在検知装置の制御方法をコンピュータに実行させるコンピュータ読取可能なコンピュータプログラム。
【請求項４】
赤外線センサと、前記赤外線センサのセンサ出力を検出するとともに前記センサ出力に基づいて執務者の在席状態を判定する中央制御部と、無線通信のための送受信手段と、を有する在席不在検知装置であって、
前記中央制御部は、
所定の第１周期ごとに前記赤外線センサのセンサ出力をサンプリングし、
前記センサ出力があれば、在席時間Ｔｓに前記第１周期の長さを加算し、
前記在席時間Ｔｓが所定の在席判定閾値に達したら、執務者が在席していると判定し、
前記センサ出力をサンプリングしたときに前記センサ出力がなかった場合、不在検出カウンターのカウント値ｋをカウントアップし、
不在検出カウンターのカウント値が所定の不在回数閾値に達するまでは、前記センサ出力がなかった場合でも在席時間Ｔｓに前記第１周期の長さを加算し、
前記センサ出力をサンプリングしたときに前記センサ出力があれば、前記不在検出カウンターのカウント値をリセットし、
前記不在検出カウンターのカウント値ｋが所定の不在回数閾値に達した場合、さらに、所定の待機時間の間、前記センサ出力がない場合、前記中央制御部は、執務者は不在であると判定し、
前記不在検出カウンターのカウント値ｋが所定の不在回数閾値に達した場合、さらに、所定の待機時間の間に前記センサ出力があれば、前記在席時間Ｔｓと前記不在検出カウンターのカウント値とをリセットする
ことを特徴とする在席不在検知装置。
【請求項５】
請求項４に記載の在席不在検知装置において、
前記中央制御部は、執務者が在席していると判定した場合、前記送受信手段を介して、外部のコンピュータに在席報告を送信する
ことを特徴とする在席不在検知装置。
【請求項６】
請求項４または請求項５に記載の在席不在検知装置において、
さらに、光発電手段を有する
ことを特徴とする在席不在検知装置。
【請求項７】
請求項６に記載の在席不在検知装置において、
前記光発電手段および送受信手段は、前記赤外線センサの後ろ側に立設されている
ことを特徴とする在席不在検知装置。
【請求項８】
請求項４から請求項７のいずれかに記載の在席不在検知装置において、
さらに、操作手段としてタッチパネルを有する
ことを特徴とする在席不在検知装置。
【請求項９】
各ワークスペースに対応した個別の環境調整器と、
前記各環境調整器の動作を集中制御するホストコンピュータと、
各ワークスペースに配設された請求項４から請求項７のいずれかに記載の在席不在検知装置と、を備え、
前記ホストコンピュータと前記在席不在検知装置とは無線通信手段で通信し、
前記在席不在検知装置が判定した執務者の在席状態に応じて前記ホストコンピュータが前記各環境調整器の動作を制御する
ことを特徴とする個別環境調整システム。
【発明の詳細な説明】
【技術分野】
【０００１】
本発明は、執務者のワークスペースに個別に対応する環境調整機器を制御するための在席不在検知装置およびその制御方法に関する。
【背景技術】
【０００２】
居室内を均一に照明したり均一に空調したりする従来の方式に加え、居室内をタスクとアンビエントとに分離し、執務者ごとのワークスペースに個別に対応するタスク照明、タスク空調およびアンビエント照明、アンビエント空調により構成されるタスクアンビエント方式が行われるようになってきている。タスク照明やタスク空調を個別に制御するシステムを本明細書では個別環境調整システムと称することにする。例えば、タスク空調にあっては、個々の執務者に対応した吹出口装置を天井に設置し、各吹出口装置から各ワークスペースに向けて気流を送り出す。タスク空調によって執務者の快適性が向上するのはもちろんであるが、居室全体を均一に空調することに比べて省エネを図ることができる。
【０００３】
各タスク照明および各タスク空調は個別にオン／オフできるのであるが、利用者が小まめにオン／オフしなければ省エネの実効性が向上しない。しかしながら、各人に小まめにオン／オフさせるのは困難である。
【０００４】
一方、赤外線センサ等の人感センサによって人を自動検知して照明や空調のオンオフを自動制御するシステムがこれまでにも提案されている（特許文献１、２、３）。
【先行技術文献】
【特許文献】
【０００５】
【特許文献１】特開２０００−１００２０２
【特許文献２】特開２０００−１００２０３
【特許文献３】特許３４４８４７１
【発明の概要】
【発明が解決しようとする課題】
【０００６】
しかしながら、特許文献１、２のように、天井などの座席の直上に赤外線センサを単に設置するだけでは実際の利用に耐えられるほどの利便性を提供できない。
例えば、オフィスでは座席の後方を人が歩くことが頻繁にある。人が歩くたびに照明が点滅するとなるとやはり問題である。
また、赤外線センサ等の人感センサは人から発せられる熱を感知するものであるが、人がじっとしていると熱の揺らぎがなくなり、執務者が在席していてもセンサの反応がなくなって「不在」と認識される可能性がある。すると、執務者が在席しているのに照明や空調が断続的にオンオフを繰り返すということになり、適切なオフィス環境とは言えない。
【０００７】
特許文献３（特許３４４８４７１）では、通過するだけの人を居室状態と認識しないように工夫をしてあるが、やはり、センサの反応がなくなるとすぐに不在と判断されてしまう問題が残る。
特許文献３（特許３４４８４７１）が想定しているように部屋に一つだけの空調装置であれば、断続的にオンオフされても気にならないが、執務中に個々人の照明や空調が頻繁に点滅するのは好ましいとは言えない。
【０００８】
また、特許文献３（特許３４４８４７１）を含め従来の人検知装置は電力消費が大きく、外部電源が必要となることや電池交換等のメンテナンスに手間が掛かるという問題も生じていた。
【０００９】
本発明の目的は、正確な在席不在検知判定を可能とし、かつ、省電力を図ることができる在席不在検知装置およびその制御方法を提供することにある。
【課題を解決するための手段】
【００１０】
本発明の在席不在検知装置の制御方法は、
赤外線センサと、前記赤外線センサのセンサ出力を検出するとともに前記センサ出力に基づいて執務者の在席状態を判定する中央制御部と、を有する在席不在検知装置の制御方法であって、
前記中央制御部は、
所定の第１周期ごとに前記赤外線センサのセンサ出力をサンプリングし、
前記センサ出力があれば、在席時間Ｔｓに前記第１周期の長さを加算し、
前記在席時間Ｔｓが所定の在席判定閾値に達したら、執務者が在席していると判定し、
前記センサ出力をサンプリングしたときに前記センサ出力がなかった場合、不在検出カウンターのカウント値ｋをカウントアップし、
不在検出カウンターのカウント値が所定の不在回数閾値に達するまでは、前記センサ出力がなかった場合でも在席時間Ｔｓに前記第１周期の長さを加算し、
前記センサ出力をサンプリングしたときに前記センサ出力があれば、前記不在検出カウンターのカウント値をリセットし、
前記不在検出カウンターのカウント値ｋが所定の不在回数閾値に達した場合、さらに、所定の待機時間の間、前記センサ出力がない場合、前記中央制御部は、執務者は不在であると判定し、
前記不在検出カウンターのカウント値ｋが所定の不在回数閾値に達した場合、さらに、所定の待機時間の間に前記センサ出力があれば、前記在席時間Ｔｓと前記不在検出カウンターのカウント値ｋとをリセットする
ことを特徴とする。
【００１１】
本発明では、
前記中央制御部は、
執務者が在席していると判定した後、前記第１周期よりも長い第２周期ごとにセンサ出力をサンプリングし、
前記中央制御部は、前記第２周期ごとに前記センサ出力をサンプリングしたときに前記センサ出力がなかった場合、不在検出カウンターのカウント値ｋをカウントアップし、
不在検出カウンターのカウント値が所定の不在回数閾値に達した場合、さらに、所定の待機時間の間、前記センサ出力がない場合の２段階で不在を判定し、
前記中央制御部は、執務者は不在であると判定する
ことが好ましい。
【００１２】
本発明のコンピュータプログラムは、前記在席不在検知装置の制御方法をコンピュータに実行させるコンピュータ読取可能なコンピュータプログラムである。
このコンピュータプログラムをコンピュータ読取可能な不揮発性メモリに格納して配布するようにしてもよい。
【００１３】
本発明の在席不在検知装置は、
赤外線センサと、前記赤外線センサのセンサ出力を検出するとともに前記センサ出力に基づいて執務者の在席状態を判定する中央制御部と、無線通信のための送受信手段と、を有する在席不在検知装置であって、
前記中央制御部は、
所定の第１周期ごとに前記赤外線センサのセンサ出力をサンプリングし、
前記センサ出力があれば、在席時間Ｔｓに前記第１周期の長さを加算し、
前記在席時間Ｔｓが所定の在席判定閾値に達したら、執務者が在席していると判定し、
前記センサ出力をサンプリングしたときに前記センサ出力がなかった場合、不在検出カウンターのカウント値ｋをカウントアップし、
不在検出カウンターのカウント値が所定の不在回数閾値に達するまでは、前記センサ出力がなかった場合でも在席時間Ｔｓに前記第１周期の長さを加算し、
前記センサ出力をサンプリングしたときに前記センサ出力があれば、前記不在検出カウンターのカウント値をリセットし、
前記不在検出カウンターのカウント値ｋが所定の不在回数閾値に達した場合、さらに、所定の待機時間の間、前記センサ出力がない場合、前記中央制御部は、執務者は不在であると判定し、
前記不在検出カウンターのカウント値ｋが所定の不在回数閾値に達した場合、さらに、所定の待機時間の間に前記センサ出力があれば、前記在席時間Ｔｓと前記不在検出カウンターのカウント値とをリセットする
ことを特徴とする。
【００１４】
本発明では、
前記中央制御部は、執務者が在席していると判定した場合、前記送受信手段を介して、外部のコンピュータに在席報告を送信する
ことが好ましい。
【００１５】
本発明では、
さらに、光発電手段を有する
ことが好ましい。
【００１６】
本発明では、
前記光発電手段および送受信手段は、前記赤外線センサの後ろ側に立設されている
ことが好ましい。
【００１７】
本発明では、
さらに、操作手段としてタッチパネルを有する
ことが好ましい。
【００１８】
本発明の個別環境調整システムは、
各ワークスペースに対応した個別の環境調整器と、
前記各環境調整器の動作を集中制御するホストコンピュータと、
各ワークスペースに配設された請求項４から請求項７のいずれかに記載の在席不在検知装置と、を備え、
前記ホストコンピュータと前記在席不在検知装置とは無線通信手段で通信し、
前記在席不在検知装置が判定した執務者の在席状態に応じて前記ホストコンピュータが前記各環境調整器の動作を制御する
ことを特徴とする。
【図面の簡単な説明】
【００１９】
【図１】本発明が想定している個別環境調整システムの一例を示す図である。
【図２】パーソナルリモコンの外観を示す図である。
【図３】パーソナルリモコンの機能ブロック図を示す図である。
【図４】起動処理を説明するためのフローチャートである。
【図５】在検検出モード（ＳＴ２００）の動作を説明するフローチャートである。
【図６】前準備の動作を示すフローチャートである。
【図７】動作の一例を説明するためのタイミングチャートである。
【図８】不在確認モード（ＳＴ３００）の動作手順を示すフローチャートである。
【図９】動作の一例を説明するためのタイミングチャートである。
【図１０】動作の一例を説明するためのタイミングチャートである。
【図１１】不在検出モードの動作を説明するフローチャートである。
【図１２】不在報告送信待ちモードの動作手順を示すフローチャートである。
【図１３】動作の一例を示すタイミングチャートである。
【図１４】変形例を示すフローチャートである。
【発明を実施するための形態】
【００２０】
本発明の実施形態を図示するとともに図中の各要素に付した符号を参照して説明する。
（第１実施形態）
（第１実施形態）
図１は本発明が想定している個別環境調整システム１００の一例を示す図である。
図１は、オフィスの一室を表す。オフィスには執務者ごとにワークスペース１１０がある。各ワークスペース１１０には、机１１１と椅子１１２とがある。
図１中では、ワークスペース１１０を２つ例示している。左側のワークスペースを第１ワークスペース１１０Ａとし、右側のワークスペースを第２ワークスペース１１０Ｂとする。
【００２１】
左側の第１ワークスペース１１０Ａと右側の第２ワークスペース１１０Ｂとは場所の違いだけで基本的には同じものである。以降の説明において、第１ワークスペース１１０Ａと第２ワークスペース１１０Ｂとを明示的に区別する場合には、第１ワークスペース１１０Ａに関連する要素の符号の末尾に"Ａ"を付し、第２ワークスペース１１０Ｂに関連する要素の符号の末尾に"Ｂ"を付すことにする。第１ワークスペース１１０Ａと第２ワークスペース１１０Ｂと区別しない共通の説明の場合、符号は数字だけとする。
【００２２】
各ワークスペース１１０の頭上には、環境調整器１２０が設けられている。ここでは、環境調整器１２０は、タスク照明機器１２１とタスク空調機器１２３とを有する。
第１ワークスペース１１０Ａの直上の天井には、第１環境調整器１２０Ａが設置されており、第１ワークスペース１１０Ａの執務者にタスク照明とタスク空調を提供する。
同様に、第２ワークスペース１１０Ｂの直上の天井には、第２環境調整器１２０Ｂが設置されている。詳しく図示しないが、各タスク照明機器１２１は電源につながっており、各タスク空調機器１２３はダクト２１０を介してファン２２０につながっている。
タスク照明機器１２１およびタスク空調機器１２３には個別にスイッチ１２２またはバルブ１２４がついており、オンオフ、明暗あるいは強弱を個別に制御できるようになっている。
【００２３】
各環境調整器１２０の動作は、ホストコンピュータ２００によって制御されている。すなわち、ホストコンピュータ２００と各環境調整器１２０とは有線または無線で接続されており、ホストコンピュータ２００からの制御信号によってスイッチ１２２あるいはバルブ１２４が制御される。
なお、図１中では、ホストコンピュータ２００と各環境調整器１２０との間の配線は省略した。
【００２４】
各ワークスペース１１０にはパーソナルリモコン３００が配置されている。
ここでは、パーソナルリモコン３００は、各机１１１の上に載置されている。
パーソナルリモコン３００の外観を図２に示し、機能ブロック図を図３に示す。
第１ワークスペース１１０Ａの机上に設置されている第１パーソナルリモコン３００Ａは、第１環境調整器１２０Ａの制御用であり、第２ワークスペース１１０Ｂの机上に設置されている第２パーソナルリモコン３００Ｂは、第２環境調整器１２０Ｂの制御用である。
【００２５】
パーソナルリモコン３００は、送受信部３１０と、ソーラーパネル３２０と、二次電池３３０と、タッチパネル３４０と、ＩＲセンサ３５０と、中央制御部３６０と、電源回路３７０と、を備える。
パーソナルリモコン３００は、無線によってホストコンピュータ２００と通信できるようになっている。すなわち、パーソナルリモコン３００は、送受信部３１０として送受信回路３１１とアンテナ３１２とを内蔵している。
またホストコンピュータ２００は、オフィス内に設置された送受信器２０１と接続されている。
【００２６】
ソーラーパネル３２０による発電で得られた電力は電源回路３７０を経由して二次電池３３０に充電され、パーソナルリモコン３００の動作に使用される。このようにパーソナルリモコン３００は、発電機能を内蔵しているので、電池交換といったメンテナンスを要しないメンテナンスフリーとなっている。
タッチパネル３４０は、タスク照明機器１２１およびタスク空調機器１２３の操作パネルとなっている。すなわち、タスク照明のオンオフ、明るさ上げ下げ、タスク空調のオンオフ、強弱を操作できるようになっている。また、照明、空調以外の機器の操作にタッチパネル３４０を利用してもよい。
【００２７】
ＩＲセンサ３５０は、いわゆる焦電型の赤外線センサであり、熱のゆらぎを受けて電気信号を発する。執務者が机１１１の前の椅子１１２に席って執務していると、ＩＲセンサ３５０は、執務者の熱に反応して電気信号を発する。これにより、パーソナルリモコン３００は、在席不在検知装置を兼ねるのである。
【００２８】
ＩＲセンサ３５０は、検出対象となる執務者が在席している状態にだけ反応し、それ以外には反応しないようになっていることが好ましい。
例えば、ＩＲセンサ３５０は、執務者が発する熱を感知する方向に応じ、上下左右の向きを変更できるようになっていてもよい。
パーソナルリモコン３００を机の右側に置くか左側に置くかによってＩＲセンサ３５０の向きを変更したいからである。
また、隣の席の執務者に反応しないように、ＩＲセンサ３５０の左右の検知領域幅はプラスマイナス４５度程度に制限されていることが好ましい。
また、検出対象となる執務者の背後で執務している人に反応しないように、ＩＲセンサ３５０の上下方向の検知領域幅はプラスマイナス４５度程度に制限されている方が好ましく、やや上向きにしておくとよい。
検出対象となる執務者の胸より上を検知領域にとらえつつ、背後の執務者の頭が検知領域に入らないようにするとよい。
また、ソーラーパネル３２０および送受信部３１０をＩＲセンサ３５０の後ろに立設していることで次の効果が得られる。すなわち、机上に設置するスペースを少なくすることができる。また、書類等により在席不在検知装置３００が隠れるのを防ぐことができる。また、ソーラーパネル３２０が色素増感方式である場合、おもて面だけでなくうら面側から入射する光でも発電できる利点がある。さらに、執務者の正面に座っている人に反応しないようにＩＲセンサ３５０の検知領域を遮蔽することができる。
【００２９】
中央制御部３６０は、パーソナルリモコン３００の各機能部の動作を統合的に制御する。中央制御部３６０は、ＣＰＵ、ＲＯＭ、ＲＡＭを有するいわゆるマイコンである。中央制御部３６０は、タッチパネル３４０が操作された際には、操作に応じた制御信号を送受信部３１０を介してホストコンピュータ２００に送信する。さらに、中央制御部３６０は、ＩＲセンサ３５０の出力信号に基づいて、執務者が在席しているか不在かを判定する。そして、中央制御部３６０は執務者が着席したことを検知すると、在席報告をホストコンピュータ２００に送信する。また、中央制御部３６０は、執務者が離席したことを検知すると、不在報告をホストコンピュータ２００に送信する。
【００３０】
なお、図３中の一点鎖線に中央制御部の主要機能を列挙した。これらの機能については必要に応じてその都度説明を加える。
【００３１】
本実施形態の特徴は、執務者が在席中か否かを極めて的確に判定する点にある。
以下、中央制御部３６０による在席検知方法について詳述する。
図４〜６、８は在席検知方法の動作手順を示すフローチャートである。
また、図７、図９、図１０は、動作の一例を説明するためのタイミングチャートである。
本実施形態に係る在席検知方法は、主として２つの動作モードを有する。すなわち、在席検知方法は、在席検出モード（ＳＴ２００、図５）と、不在確認モード（ＳＴ３００、図８）と、を有する。
以下、順に説明する。
【００３２】
以降の説明において、ＩＲセンサ３５０が熱に感応して電気信号を出力することを、センサ出力がある、センサ出力がオン、または、センサ出力がハイレベル、と表現することにする。逆に、ＩＲセンサ３５０から電気信号が出ていない状態を、センサ出力がない、センサ出力がオフ、または、センサ出力がローレベル、と表現することにする。
また、中央制御部３６０の動作状態をクロックとタイマーとだけが動作する状態として省電力化を図ることをスリープと表現し、ＩＲセンサ３５０のセンサ出力がオンになるのを待つ状態として更なる省電力化を図ることをディープスリープと表現することにする。
【００３３】
まず図４を参照して、起動処理を説明する。
図４は、在席検知方法の動作手順を示すフローチャートであり、具体的には、起動処理を説明するためのフローチャートである。
ユーザがパーソナルリモコン３００の電源スイッチをオンにすると、パーソナルリモコン３００が起動する（ＳＴ１１０）。
電源スイッチの操作はパーソナルリモコン３００の使用開始時の１回でよく、夜間等ワークスペースに執務者が一人もいないような状態では、パーソナルリモコン３００の中央制御部３６０はディープスリープとなる。執務者が入室し、室内のいずれかのパーソナルリモコン３００のＩＲセンサ３５０が検知すると個別環境システム１００が起動となる。
起動処理として、例えば、中央制御部３６０は、ＲＯＭ（不図示）等から制御プログラムを順次読み込み、システムを起動状態にする。起動に成功し、エラー等がなければ（ＳＴ１２０：ＮＯ）、次に、中央制御部３６０は、ＩＲセンサ３５０からの出力の有無（ＳＴ１３０）に応じてモードを選択する。
その後、センサ出力がなければ（ＳＴ１３０：ＮＯ）、中央制御部３６０はディープスリープ（ST140）に移行し、センサ出力による割り込み動作以外の動作を停止する。
センサ出力がないとは、ＩＲセンサ３５０の検知範囲には熱源がない、すなわち、人がいないということであるから、在席不在検知装置としてはもちろんパーソナルリモコン３００として果たすべきタスクはない。したがって、割り込み信号としてのセンサ出力が入るまでは（ＳＴ１３０：ＹＥＳ）、ディープスリープ（ST140）を維持して、電力消費を極力抑制するようにする。
【００３４】
センサ出力がある場合（ＳＴ１３０：ＹＥＳ）、中央制御部３６０は、動作モードを在席検出モード（ＳＴ２００）とする。ＩＲセンサ３５０からの出力があるということは、ＩＲセンサ３５０が何らかの熱源に反応したということである。
しかしながら、この時点ですぐに執務者が在席したと判定するのではなく、本実施形態としては、在席判定の確度を高めるため、在席検出モード（ＳＴ２００）によって詳細に確認することとしている。これにより、センサ出力のゆらぎや、単なる人の通過を除外し、執務者が在席状態であることを正確に判定する。
【００３５】
図５を参照して在検検出モード（ＳＴ２００）の動作を説明する。
図５は、在席検知方法の動作手順を示すフローチャートであり、具体的には、在検検出モード（ＳＴ２００）の動作を説明するフローチャートである。
また、図７は、動作の一例を示すタイミングチャートである。なお、ＩＲセンサ３５０からの出力信号を矩形波としているのは、説明上の便宜的処置である。あるいは、ＩＲセンサ３５０からの出力信号を所定の閾値で二値化処理したものと解釈してもよい。
【００３６】
図７としては、執務者が着席した場合を想定している。
執務者が着席した場合、ＩＲセンサ３５０は執務者の熱に感応して信号を出力するのであるが、執務者が座ったからといってずっと一定のハイレベル（Ｈ）の信号を出すというわけではない。
ＩＲセンサ３５０は、必ずしも安定したセンサというわけではなく、突発的にオンになったりオフになったりということを繰り返す。特に、熱を検知してから出力が安定するまでは激しくオンオフを繰り返す。また、執務者が在席したとしても、執務者が動きを完全に止めてしまうと熱のゆらぎがなくなるので、この場合もＩＲセンサ３５０はオフになる。
【００３７】
さて、図７に例示するように、たとえば、時刻ｔ０でセンサ出力がオンになったとする（ＳＴ１３０：ＹＥＳ）。すると、中央制御部３６０は、在席検出モードに移行する（ＳＴ２００）。
在席検出モード（ＳＴ２００）に移行したあと、中央制御部３６０は、もう一度センサ出力が有るか否か確認する（ＳＴ２０１）。この時点でセンサ出力が無くなっていれば（ＳＴ２０１：ＮＯ）、先のセンサ出力は一回だけの突発的なものと判断されるので、後述の不在確認モード（ＳＴ３００）にすぐに移行する。不在確認モード（ＳＴ３００）については後ほど説明する。
【００３８】
センサ出力がある場合（ＳＴ２０１：ＹＥＳ）、中央制御部３６０は、在席検出モードを開始するための前準備（ＳＴ２１０）を行う。
前準備処理（ＳＴ２１０）を図６に示した。
図６は、在席検知方法の動作手順を示すフローチャートであり、具体的には、前準備の動作を示すフローチャートである。
前準備処理（ＳＴ２１０）として、在席検出モード（ＳＴ２００）で使用するカウンターのリセットを行う（ＳＴ２１１、ＳＴ２１２）。すなわち、在席時間カウンターの時間Ｔｓを０にリセットする（ＳＴ２１１）。
在席時間カウンターは、在席検出モード（ＳＴ２００）において、執務者が在席しているとみなす時間を積算していくためのカウンターである。在席時間カウンターのカウント値（カウント時間Ｔｓ）が所定の閾値（在席判定閾値）に達したら（ＳＴ２７２）、執務者が在席していると判定する。この点は後述する。
【００３９】
また、不在検出カウンターのカウント値ｋを０にリセットする。
不在検出カウンターは、所定のサンプリングタイミングでＩＲセンサ３５０の出力をサンプリングしにいったとき、センサ出力がなかった回数をカウントするためのカウンターである。
不在検出カウンターのカウント値ｋが所定の閾値（不在回数閾値）に達したら（ＳＴ２６１）、執務者が在席している可能性は低いとして、不在確認モード（ＳＴ３００）に移行する。この点は後述する。
【００４０】
前準備（ＳＴ２１０）でカウンターのリセットが済んだら、中央制御部３６０は、短い周期（第１周期）を計測する第１タイマーをスタートさせる（ＳＴ２２０）。ここでは、短い周期Ｔ１を０．５秒とする。中央制御部３６０は、第１タイマーをスタートさせた後、クロックと第１タイマーとを残してスリープに移行する。
第１タイマーがタイムアウトしたら（ＳＴ２３０：ＹＥＳ）、中央制御部３６０はスリープから復帰してセンサ信号のサンプリングを実行する（ＳＴ２４０）。
【００４１】
図７のタイミングチャートにおいて、時刻ｔ１で１回目のサンプリングをし、１回目のサンプリングでセンサ出力のオンを確認できたと仮定する（ＳＴ２５０：ＹＥＳ）。
センサ出力がオンであれば（ＳＴ２５０：ＹＥＳ）、不在検出カウンターをゼロにリセットし（ＳＴ２７０）、さらに、在席時間カウンターに在席時間を加算しておく（ＳＴ２７１）。
ここでは、第１タイマーによる０．５秒（第１周期）の間、執務者が在席していたとみなして、在席時間Ｔｓに０．５秒を加算する（ＳＴ２７１）。そして、在席時間カウンターのカウント時間Ｔｓが所定の閾値（在席判定閾値）に達しているか判定し（ＳＴ２７２）、未だ閾値に達していなければ、フローの先頭（ＳＴ２２０）に戻る。再度、第１タイマーで０．５秒をカウントし（ＳＴ２２０）、センサ信号のサンプリングを行う（ＳＴ２４０）。
【００４２】
２回目のサンプリングタイミングが偶然センサ出力のオフに重なったとする（図７参照）。
センサ出力のオンを確認できない場合（ＳＴ２５０：ＮＯ）、中央制御部３６０は、不在検出カウンターのカウント値ｋを１つカウントアップする（ＳＴ２６０）。
そして、不在検出カウンターのカウント値ｋが所定の閾値（不在回数閾値）に達しているか判定する（ＳＴ２６１）。
ここでは、不在回数閾値を２とする。
今、不在検出カウンターのカウント値ｋは１である。すなわち、不在検出カウンターのカウント値（ｋ＝１）は、不在回数閾値（＝２）に達していない（ＳＴ２６１：ＮＯ）。この場合、センサ出力がオフだったのは突発的な信号のゆらぎであり、執務者が在席していたとみなし、中央制御部３６０は在席時間Ｔｓにさらに０．５秒を加算する（ＳＴ２７１）。
【００４３】
この後、先に説明したように、在席時間Ｔｓが在席判定閾値に達していなければ、フローの先頭（ＳＴ２２０）に戻るわけである。
ここで、先述のように、サンプリングのタイミングでセンサ出力がオンであれば、不在検出カウンターのカウント値ｋをリセットしてしまう（ＳＴ２７０）。
したがって、不在回数閾値（ここでは２）の値だけ連続してセンサ出力がオフになっていないと（ＳＴ２５０：ＮＯ）、不在検出カウンターのカウント値ｋが不在回数閾値に達することはない。
図７に示した例では、ＩＲセンサ３５０の信号は、ときどき突発的にオフになるが、サンプリングのタイミングで２回連続でオフになることはない。執務者が在席していれば、センサ出力がオンになる時間の方が圧倒的に長いのであり、２回連続でセンサ出力がオフになる可能性は低い。逆に、２回連続でセンサ出力がオフになっていたら（ＳＴ２６１：ＹＥＳ）、そのときは、執務者不在の可能性も高くなってくる。
【００４４】
図７の例では、２回連続でセンサ出力がオフになることはないので、サンプリングの度に在席時間Ｔｓを加算していき（ＳＴ２７１）、センサ出力がオフの場合も含みながらサンプリングを８回行ったところで、在席時間Ｔｓが在席判定閾値（４秒）に達する（ＳＴ２７２：ＹＥＳ）。
在席時間カウンターのカウント値Ｔｓが在席判定閾値に達したら（ＳＴ２７２：ＹＥＳ）、中央制御部３６０は、ホストコンピュータ２００に執務者の在席を報らせる在席報告を送信する（ＳＴ２８０）。
【００４５】
ホストコンピュータ２００は、例えば、第１パーソナルリモコン３００Ａから在席報告を受ければ、第１ワークスペース１１０Ａに執務者が在席しているとし、第１環境調整器１２０Ａを始動させる。
つまり、執務者が着席すると、パーソナルリモコン３００が執務者の着席を検知し、自動的にその執務者のワークスペース１１０に対応する環境調整器１２０が始動する。たとえばタスク照明（１２１）が点灯し、タスク空調（１２３）の気流が執務者に当たるようになる。
【００４６】
さて、先の例（図７）は執務者が着席した場合を想定した。
これに対し、例えば、執務者が不在であるワークスペース１１０の近くを人が通過するような場面を考えてみる。
図１において、第２ワークスペース１１０Ｂには執務者が不在であるが、その近くを人が歩いて横切っていくようなことはよくあることである。
人が通過するような場合でも、ＩＲセンサ３５０は熱のゆらぎを感知してセンサ信号を出力することになる。
図９は、人が通過する場合を想定したタイミングチャートの一例である。この図９の例において、先述の図４、図５のフローを適用してみる。
【００４７】
時刻ｔ０でセンサ出力がオンになる。すると、このセンサ出力のオン（ＳＴ１３０：ＹＥＳ）によって在席検出モードへ移行する（ＳＴ２００）。そして、０．５秒のサンプリング間隔（ＳＴ２２０、ＳＴ２３０）でセンサ信号のサンプリングが実行される。
図９を参照していただくと、１回目のサンプリングでは（ＳＴ２４０）、センサ出力がオンなので（ＳＴ２５０：ＹＥＳ）、在席時間Ｔｓに０．５秒が加算される（ＳＴ２７１）。
次の２回目のサンプリングではセンサ出力はオフである。不在検出カウンターのカウント値ｋに１を加算するとともに（ＳＴ２６０）、在席時間Ｔｓにも０．５秒を加算する（ＳＴ２７１）。
この後、３回目、４回目のサンプリングを実行したとき（ＳＴ２４０）、偶然にもセンサ信号がオンであったとする（ＳＴ２５０：ＹＥＳ）。すると、不在検出カウンターのカウント値がリセット（ｋ＝０）され（ＳＴ２７０）、かつ、在席時間Ｔｓが加算されていく（ＳＴ２７１）。
４回目のサンプリング終了時点で在席時間カウンターのカウント値Ｔｓは２秒になるが、在席判定閾値（４秒）には達していないので（ＳＴ２７２：ＮＯ）、フローを先頭（ＳＴ２２０）から繰り返す。
【００４８】
ここで人が通過し終わったとすると、それ以降、センサ出力はオフの状態を継続することになる。
さて、５回目のサンプリング（ＳＴ２４０）ではセンサ出力はオフである（ＳＴ２５０：ＮＯ）から不在検出カウンターのカウント値ｋは１にカウントアップされ（ＳＴ２６０）、かつ、カウント値ｋが不在回数閾値に達していないので在席時間Ｔｓも加算される（ＳＴ２７１）。
しかして、６回目のサンプリング（ＳＴ２４０）でもセンサ出力がオフであるから、不在検出カウンターのカウント値ｋが２にカウントアップされる（ＳＴ２６０）。すると、不在検出カウンターのカウント値ｋが不在回数閾値（ここでは２）に達する（ＳＴ２６１：ＹＥＳ）。
不在検出カウンターのカウント値ｋが不在回数閾値に達した場合（ＳＴ２６１：ＹＥＳ）、執務者が着席した可能性は低いとして、中央制御部３６０は、動作モードを不在確認モード（ＳＴ３００）へ移行させる。
【００４９】
不在確認モード（ＳＴ３００）の動作を説明する。
図８は、在席検知方法の動作手順を示すフローチャートであり、具体的には、不在確認モード（ＳＴ３００）の動作手順を示すフローチャートである。
不在確認モード（ＳＴ３００）を開始するにあたって、中央制御部３６０は、不在時間カウンターのカウント値Ｔａｂをリセットする（ＳＴ３１０）。
不在時間カウンターは、不在確認モードにおいて執務者が在席していないとみなす時間を積算していくためのカウンターである。
不在時間カウンターのカウント値（カウント時間Ｔａｂ）が所定の閾値（第１不在判定閾値）に達したら、執務者が不在の状態が継続していると判定する。より具体的には、執務者が不在のワークスペース１１０を人が通過しただけであり、執務者は不在であると判定する。
【００５０】
不在時間カウンターのリセット（ＳＴ３１０）に続き、中央制御部３６０は、短い周期（第１周期）を計測する第１タイマーをスタートさせる（ＳＴ３２０）。その後、中央制御部３６０は、クロックと第１タイマーを残してスリープに移行する。
ただし、不在確認モード（ＳＴ３００）においては、先の在席検出モードと異なり、スリープ状態にあってもセンサ出力があれば（ＳＴ３３０：ＹＥＳ）これを割り込み信号とし、中央制御部３６０はすぐに復帰する（図８、図５のＢ）。そして、すぐに在席検出モードに戻る。
【００５１】
例えば、図１０のようなケースもあり得る。
図１０においては、執務者が着席したのであるが、立ち上がり時にＩＲセンサ３５０の出力が安定せず、偶然にも２回連続したサンプリングタイミングでセンサ出力がオフになった場合である。
図１０の例では、２回目、３回目のサンプリングタイミングでセンサ出力がオフであるため、３回目のサンプリングのあと、不在確認モード（ＳＴ３００）に移行することになる。
このあと、時刻ｔｕでセンサ出力はオンになるので（ＳＴ３３０：ＹＥＳ）、在席検出モードに戻って在席時間の計測を再開する。
しかし、もし仮に、不在確認モード（ＳＴ３００）でも０．５秒間隔でセンサ出力をサンプリングにいくと、在席検出モードに戻るのに最低でも０．５秒は待たなければならなくなる（時刻ｔ４）。
これに対し、センサ出力を割り込み信号とすれば、センサ出力がＯＮに復帰した時点（時刻ｔｕ）ですぐに在席検出モードに戻って在席時間の計測を再開することができる。
【００５２】
さて、第１タイマーをスタートさせたあと、センサ出力がないままタイムアウト（ＳＴ３４０：ＹＥＳ）したならば、不在時間カウンターのカウント値Ｔａｂに不在時間として０．５秒を加算していく（ＳＴ３５０）。そして、センサ出力がないまま、不在時間Ｔａｂが所定の閾値（第１不在判定閾値）に達したら（ＳＴ３６０：ＹＥＳ、図９参照）、ＩＲセンサ３５０は人の通過に反応しただけであることが確定できたとして、中央制御部３６０はディープスリープに戻る。
これで図４の先頭に戻り、以降、センサ出力がオンになるまでディープスリープ（ＳＴ１４０）で待機する。
【００５３】
このような構成を備える第１実施形態によれば次の効果を奏する。
（１）センサ出力がオンになったとしても執務者が着席したとは限らない。突発的にセンサ出力がオンになることもあるし、人が通行しただけかもしれない。在席状態を誤検出して個別の環境調整器１２０を始動させてしまうのは非効率である。
この点、本実施形態では、在席検出モード（ＳＴ２００）において、在席時間Ｔｓが在席判定閾値に達したことをもって執務者の在席を確定するようにしている。したがって、在席を誤検出する可能性が低く、省エネに貢献できる。
【００５４】
（２）在席時間Ｔｓを積算するにあたり、本実施形態では、所定周期（０．５秒）でセンサ出力をサンプリング（ＳＴ２４０）するようにし、サンプリングとサンプリングとの間はスリープモードに入るようにしている。単純に考えると、センサ出力がオンになっている間は、ずっと継続して時間計測を行ってもよいように思えるが、ずっと起動して計測し続けると電力の消耗が大きい。
この点、本実施形態では０．５秒に１回起動し、数ｍｓｅｃだけ動作（サンプリング、カウントアップなど）するだけでよい。したがって、同じ在席時間の判定を行っていても消費電力を数１０分の１〜数１００分の１に抑制することができる。
【００５５】
（３）在席検出モード（ＳＴ２００）において短い周期でサンプリングを行うことは電力消費を下げるのに効果的であるが、その反面、偶然、２回連続でセンサ出力のオフに当たる場合もありうる。不在検出カウンターのカウント値ｋが不在回数閾値（ここでは２）になるような場合には執務者の着席ではない可能性が高いのであるが、この時点ですぐに不在と判定してディープスリープに移行してしまうと、復帰するのに時間がかかってしまう。
この点、本実施形態においては、ディープスリープに移行する前に不在確認モードにて数秒間はスリープ状態でセンサ出力がオンにならないか待つようにしている。これにより、消費電力を極限に下げながらも、迅速な在席判定を実現できた。
【００５６】
（４）オフィスでは人の通行が頻繁にある。所定時間（数秒間）の間にセンサ出力が何回オンになったかといったようにオン回数の多寡だけを判断基準にすると数人がたて続けに連続で通行した場合には「在席」と判定されてしまうおそれがある。
この点、本実施形態では、不在検出カウンターのカウント値ｋが不在回数閾値（ここでは２回）になると、執務者の着席ではない可能性が高いとみて、不在確認モードへ移行する（ＳＴ３００）。
センサ出力がオンになれば再度在席検出モードを繰り返すが、その前に在席時間カウンターをリセットするので、たて続けに通行人がいたとしても在席と誤検出することはない。この点は、例えば特許文献３（特許３４４８４７１）の従来技術にはない利点である。
【００５７】
（５）メンテナンスフリーとするためパーソナルリモコン３００は発電機能を内蔵しているが、室内照明だけで発電するとなると発電能力には自ずと限界がある。また、各執務者の机上に設置することを考えるとソーラーパネル３２０を大きくすることは難しい。その一方で、パーソナルリモコン３００はホストコンピュータ２００と無線通信するので電波の送受信にエネルギーを消費しやすい。そこで、本実施形態では、在席を誤検出する可能性を低くし、無線通信を行う頻度を少なくしている。
本実施形態によれば、電力消費を極限まで抑制できる在席検出方法を提供でき、外部電源の供給や電池交換が不要となるパーソナルリモコン３００を実現できた。
【００５８】
（第２実施形態）
次に本発明の第２実施形態を説明する。第２実施形態として、執務者が不在になったことを検知する不在検知方法を説明する。
【００５９】
第１実施形態において、中央制御部３６０は執務者の在席を確認できた場合（ＳＴ２７２：ＹＥＳ）、在席報告をホストコンピュータ２００に送信した（図５のＳＴ２８０）。
執務者が在席状態になったので、中央制御部３６０としては、次は執務者の離席を検知するモードに入る（ＳＴ４００）。
図１１、図１３を参照して不在検出モードの動作を説明する。
図１１は不在検出モードの動作を説明するフローチャートであり、また、図１３は動作の一例を示すタイミングチャートである。図１３において、時刻ｔ１までは執務者が在席しており、時刻ｔ１において執務者が離席したとする。
【００６０】
中央制御部３６０は、不在検出モードに移行すると（ＳＴ４００）、まず不在検出カウンターをリセットし（ＳＴ４１０）、そして、長い周期（第２周期）を計測する第２タイマーをスタートさせる（ＳＴ４２０）。
ここでは、長い周期Ｔ２を５秒とする。
中央制御部３６０は、第２タイマーをスタートさせたあと（ＳＴ４２０）、タイムアウトまでスリープし（ＳＴ４３０）、タイムアウトしたら（ＳＴ４３０：ＹＥＳ）、センサ出力のサンプリングを実行する（ＳＴ４４０）。執務者が在席しているわけであるから、ＩＲセンサ３５０は執務者の熱に反応し、センサ出力はオンになっている。
【００６１】
センサ出力がオンであれば（ＳＴ４５０：ＹＥＳ）、フローの先頭（ＳＴ４１０）に戻って５秒ごとのサンプリングを繰り返す（ＳＴ４１０−ＳＴ４５０）。
執務者が在席してもセンサ出力がオフになる場合もありうる。たとえば、執務者がしばらくじっと動きを止めてしまうと、熱のゆらぎがなくなるので、センサ出力がオフになることがある。
また、オフィスでは多くの執務者がそれぞれのワークスペース１１０で執務しているので、隣りや背後の執務者にまで反応しないようにＩＲセンサ３５０の検知範囲をある程度絞っておく必要がある。
したがって、執務者が机から少し距離をとったり、頭を左や右や下に動かしたりして、ＩＲセンサ３５０の検知範囲から外れてしまうこともある。
【００６２】
例えば、図１３において、２回目のサンプリングにおいてセンサ出力がオフであったとする（ＳＴ４５０：ＮＯ）。
この場合、中央制御部３６０は、不在検出カウンターのカウント値ｋを１つカウントアップする（ＳＴ４６０）。そして、不在検出カウンターのカウント値ｋが所定の閾値（不在回数閾値）に達しているか判定し（ＳＴ４７０）、閾値に達していなければ（ＳＴ４７０：ＮＯ）、５秒後に再度サンプリングを実行する（ＳＴ４３０〜ＳＴ４４０）。
図１３中の３回目のサンプリングのようにセンサ出力のオンを確認できれば（ＳＴ４５０：ＹＥＳ）、中央制御部３６０は、不在検出カウンターをリセット（ＳＴ４１０）し、５秒間隔のサンプリング（ＳＴ４２０〜ＳＴ４５０）を繰り返す。
執務者が在席していれば、２回連続でセンサ出力がオフになる可能性は低く、執務者の在席中はＳＴ４１０〜ＳＴ４７０という不在検出モードがループすることになる。この動作は、５秒ごとに数ｍｓｅｃのサンプリングを行うだけであり、ほとんどの時間はスリープモードであるから電力の消耗は極めて少ない。
【００６３】
さて、図１３において、時刻ｔ１で執務者が離席した場合を考える。
執務者が離席すると、ＩＲセンサ３５０の出力はオフになる。すると、２回連続でセンサ出力がオフとなり（ＳＴ４５０：ＮＯ）、不在検出カウンターのカウント値が２に達する。
不在検出カウンターのカウント値が不在回数閾値（ここでは２）に達した場合（ＳＴ４７０：ＹＥＳ）、中央制御部３６０は、すぐに不在と確定せずに、不在報告送信待ちモードに移行する（ＳＴ５００）。
【００６４】
図１２は、不在報告送信待ちモードの動作手順を示すフローチャートである。
不在報告送信待ちモードの動作は、図８で説明した不在確認モード（ＳＴ３００）と基本的は同じであるから、対応する符号を付し、重複した説明は割愛する。
ただし、不在報告送信待ちモードにおいては、第２不在判定閾値として、第１不在判定閾値よりも長い１２０秒としている（ＳＴ５６０）。つまり、１２０秒の間は不在を確定せずに待機する。
オフィスで執務する場合、ときどき短時間だけ離席するというのはよくあることである。わずか数十秒程度の離席で照明や空調がオフになってしまうのは実用的とはいえない。
そこで、中央制御部３６０は、不在を確定する前に１２０秒待機し、１２０秒間、センサ出力のオンがなければ（ＳＴ５６０：ＹＥＳ）、不在状態を確定し、ホストコンピュータ２００に不在報告を送信する（ＳＴ５４０）。
【００６５】
ホストコンピュータ２００は、例えば第１パーソナルリモコン３００Ａから不在報告を受ければ、第１ワークスペース１１０Ａの執務者が不在になったとし、第１環境調整器１２０Ａをオフにする。つまり、執務者が離席すると、パーソナルリモコン３００が執務者の不在を検知し、自動的にその執務者のワークスペース１１０に対処する環境調整器１２０の動作を停止させる。
【００６６】
このような構成を備える第２実施形態によれば次の効果を奏する。
（６）本実施形態では、センサ出力が一回オフになったからといって執務者の不在を即断せず、二回連続でセンサ出力がオフになるかを確認するようにしている（ＳＴ４６０、ＳＴ４７０）。
センサ出力が一回オフになったからといって執務者の不在を即断するのは非効率であるのはもちろん、センサ出力が一回オフになったからといって従来技術（例えば特許文献３（特許３４４８４７１））のように例えば図５のような在席検出のための細かな動作を毎回繰り返すのはやはり非効率である。
この点、本実施形態では、２回連続でセンサ出力がオフ（ＳＴ４５０：ＮＯ、ＳＴ４７０：ＹＥＳ）とならなければ執務者が在席を継続しているとして、不在検出モードを継続する。
これにより、突発的なセンサオフに過敏に反応して電力を消耗しないようにできる。
【００６７】
（７）不在検出モードにおいては、長い周期（第２周期）に一回起動してセンサ出力をサンプリングするだけであるから、消費電力を極限的に少なくできる。
【００６８】
（８）不在報告送信待ちモードが設けられているので、執務者が実際に離席したとしても２分以内の短時間の離席であれば照明や空調が切れずにそのまま待機する。したがって、わずかな離席で照明が消えたり点いたりすることがない。
なお、短時間の離席でもタスク照明やタスク空調をオフにしたければ、ユーザがパーソナルリモコン３００で意図的にオフにしてもよいのだし、あるいは、第２不在判定閾値を短い時間（例えば３０秒）などに設定変更してもよい。
【００６９】
（変形例１）
図８や図１２のフローチャートにおいては、所定時間（第１、第２不在判定閾値）を待機するのに第１タイマー（０．５秒）を繰り返すことで不在時間Ｔａｂを積算した。
ここで、変形例１を図１４に示す。図１４は、図１２に対応し、不在報告送信待ちモードの変形例を示すフローチャートである。
図１４に示すように、所定時間待機するにあたって、より長い周期（第３周期）を計測できるタイマー（第３タイマー）を用いるようにしてもよい。
【００７０】
なお、本発明は上記実施の形態に限られたものではなく、趣旨を逸脱しない範囲で適宜変更することが可能である。
上記実施形態のなかで示した数値は例示であり、在席判定閾値（＝４秒）、不在回数閾値（＝２回）、第１周期（Ｔ１＝０．５秒）、第１不在判定閾値（＝２秒）、第２不在判定閾値（＝１２０秒）、第２周期（Ｔ２＝５秒）は適宜設定されればよい。
各ユーザが自由に変更できるようにグラフィカルユーザインターフェース（ＧＵＩ）を提供してもよいであろう。
【００７１】
上記実施形態の説明においては、ホストコンピュータがパーソナルリモコンから不在報告を受信した場合、ホストコンピュータは環境調整器をオフ（停止）にするとした。
執務者が不在の場合に環境調整器を停止させるかあるいはどのように運転させるかは任意であり、例えば、それぞれの環境調整器ごとに不在モードを設定しておき、照明を若干暗くしたり、空調を若干弱めるといった制御をしてもよい。
上記実施形態では、オフィスのワークスペースとしているが、住宅の居室の照明やエアコンを操作するリモコン、人感センサとしても利用可能である。
【００７２】
不在報告送信待ちモード（図１２、図１４）において、１２０秒や１８０秒といった待機中にときどき通行人がいると、図１１と図１２とを行ったり来たりになって不在が確定せず、タスク照明がオフにならない場合もありうる。この場合、待機時間を適宜短めに設定し直せばよく、例えば、待機時間を６０秒〜１００秒程にしてもよい。
あるいは、第１実施形態に倣って通行人をフィルタアウトする考え方もある。すなわち、「センサ出力あり」が２回連続しなければ不在時間として加算していき、閾値に達したら不在を確定させるようにしてもよい。
【符号の説明】
【００７３】
１００…個別環境調整システム、１１０…ワースペース、１１１…机、１１２…椅子、
１２０…環境調整器、１２１…タスク照明機器、１２２…スイッチ、１２３…タスク空調機器、１２４…バルブ、
２００…ホストコンピュータ、２０１…送受信器、
２１０…ダクト、２２０…ファン、
３００…パーソナルリモコン、
３１０…送受信部、３１１…送受信回路、３１２…アンテナ、
３２０…ソーラーパネル、
３３０…二次電池、
３４０…タッチパネル、
３５０…ＩＲセンサ、
３６０…中央制御部、
３７０…電源回路。
【図１】
0006570409.tif 000002
【図２】
0006570409.tif 000003
【図３】
0006570409.tif 000004
【図４】
0006570409.tif 000005
【図５】
0006570409.tif 000006
【図６】
0006570409.tif 000007
【図７】
0006570409.tif 000008
【図８】
0006570409.tif 000009
【図９】
0006570409.tif 000010
【図１０】
0006570409.tif 000011
【図１１】
0006570409.tif 000012
【図１２】
0006570409.tif 000013
【図１３】
0006570409.tif 000014
【図１４】
0006570409.tif 000015